(57)【要約】【課題】インバータ駆動により、安価な汎用の消火ポンプを制御することで、基準に適合させた消火ポンプシステムを提供する。【解決手段】吸込み側からの水を、送水管を介して需要側の各階に設けられた消火栓又スプリンクラーの放水手段に送水する消火ポンプと、該消火ポンプを駆動する電動機と、該電動機を駆動するインバータを備え、ポンプ性能の第１仕様点を、インバータ周波数ｆ０のもとで水量Ｑ１００％、全揚程Ｈ１００％、軸動力Ｓ１００％としたとき、インバータ周波数ｆ１のもとで吐出し量Ｑ１５０％、全揚程Ｈ６５％以上、軸動力Ｓ１１０％以下となる第２仕様点を満足するように、前記消火ポンプ、電動機およびインバータを選定して組合せたことを特徴とするインバータ駆動消火ポンプシステム。【選択図】図１
2014121371.tif 000002
【特許請求の範囲】
【請求項１】
吸込み側からの水を、送水管を介して需要側の各階に設けられた消火栓又スプリンクラーの放水手段に送水する消火ポンプと、
該消火ポンプを駆動する電動機と、
該電動機を駆動するインバータと、
前記消火ポンプ吐き出し側の圧力を検出する圧力検出手段と、
予め最高位置、最遠方の前記放水手段に送水するのに必要な目標圧力を、所要末端圧力、配管抵抗曲線から決定し設定する目標圧力設定手段と、
前記圧力検出手段により検出された圧力が前記目標圧力設定手段により設定された目標圧力となるように前記インバータに周波数指令信号を出力してポンプの周波数を制御する制御装置とを備え、
ポンプ性能の第１仕様点を、インバータ周波数ｆ０のもとで水量Ｑ１００％、全揚程Ｈ１００％、軸動力Ｓ１００％としたとき、インバータ周波数ｆ１のもとで吐出し量Ｑ１５０％、全揚程Ｈ６５％以上、軸動力Ｓ１１０％以下となる第２仕様点を満足するように、前記消火ポンプ、電動機およびインバータを選定して組合せたことを特徴とするインバータ駆動消火ポンプシステム。
【請求項２】
吸込み側からの水を、送水管を介して需要側の各階に設けられた消火栓又スプリンクラーの放水手段に送水する消火ポンプと、
該消火ポンプを駆動する電動機と、
該電動機を駆動するインバータと、
前記消火ポンプ吐き出し側の圧力を検出する圧力検出手段と、
前記放水手段が動作したとき動作信号を発信する動作信号発信手段と、
前記動作信号発信手段の動作信号に基づいて、階数毎に予め求められた配管抵抗曲線から階数毎の目標圧力を設定する目標圧力設定手段と、
前記圧力検出手段により検出された圧力が前記目標圧力設定手段により設定された目標圧力となるように前記インバータに周波数指令信号を出力してポンプの周波数を制御する制御装置とを備え、
ポンプ性能の第１仕様点を、インバータ周波数ｆ０のもとで水量Ｑ１００％、全揚程Ｈ１００％、軸動力Ｓ１００％としたとき、インバータ周波数ｆ１のもとで吐出し量Ｑ１５０％、全揚程Ｈ６５％以上、軸動力Ｓ１１０％以下となる第２仕様点を満足するように、前記消火ポンプ、電動機およびインバータを選定して組合せたことを特徴とするインバータ駆動消火ポンプシステム。
【請求項３】
請求項１又は２に記載のインバータ駆動消火ポンプシステムにおいて、
前記消火ポンプは第１仕様点を満足するように選定され、前記電動機は第２仕様点を満足するように選定され、前記インバータは前記両仕様点を満足するように選定されたことを特徴とするインバータ駆動消火ポンプシステム。
【請求項４】
請求項３に記載のインバータ駆動消火ポンプシステムにおいて、
前記消火ポンプとして、第１仕様点のインバータ周波数ｆ０のもとで水量Ｑ１００％、全揚程Ｈ１００％の定格を満足する汎用ポンプが選定され、
前記電動機として、第２仕様点のインバータ周波数ｆ１のもとで吐出し量Ｑ１５０％、全揚程Ｈ６５％以上で運転している際の軸動力が定格出力の１１０％以下となる電動機が選定され、
前記インバータとして、周波数ｆ１までの増速できるインバータが選定されたことを特徴とするインバータ駆動消火ポンプシステム。
【請求項５】
請求項１〜４のいずれかに記載のインバータ駆動消火ポンプシステムにおいて、
インバータ周波数ｆ１のもとで吐出し量Ｑ１５０％、全揚程Ｈ６５％以上で運転している際のインバータ電流が定格電流以下となるインバータを用いたことを特徴とするインバータ駆動消火ポンプシステム。
【請求項６】
請求項１〜５のいずれかに記載のインバータ駆動消火ポンプシステムにおいて、
インバータ周波数制御による増速時に、インバータ電流が定格電流以下となるようインバータ周波数を制限したことを特徴とするインバータ駆動消火ポンプシステム。
【請求項７】
請求項１〜６のいずれかに記載のインバータ駆動消火ポンプシステムにおいて、
インバータ周波数制御による増速時に、周波数が前記吐出し量Ｑ１５０％の対応周波数（ｆ１）以下となるよう制御することを特徴とするインバータ駆動消火ポンプシステム。
【請求項８】
請求項１〜７のいずれかに記載のインバータ駆動消火ポンプシステムにおいて、
目標圧力設定値の最高値は、前記消火ポンプのＨ１４０％以下に設定されるよう制限され、締切運転時（吐出し量０時）に給水圧力がＨ１４０％以下となるように制御することを特徴とするインバータ駆動消火ポンプシステム。
【請求項９】
請求項１〜８のいずれかに記載のインバータ駆動消火ポンプシステムにおいて、
インバータ周波数のｆ０を商用周波数近傍とした時、インバータ周波数のｆ１を商用周波数より高い周波数に設定したことを特徴とするインバータ駆動消火ポンプシステム。
【請求項１０】
請求項１〜９のいずれかに記載のインバータ駆動消火ポンプシステムにおいて、
インバータ周波数制御による増速時に、インバータ周波数が第１仕様点対応の周波数（ｆ０）を越えたとき、目標圧力をＨ６５％に切り替えて圧力制御することを特徴とするインバータ駆動消火ポンプシステム。
【発明の詳細な説明】
【技術分野】
【０００１】
本発明は、消火用水に適用する可変速に駆動されるポンプを備えたインバータ駆動消火ポンプシステムに関する。ここでいう消火ポンプシステムとは、消火栓ポンプシステム及びスプリンクラーポンプシステムを包含したシステムをいう。
【背景技術】
【０００２】
消火ポンプシステムは、火災時に火災検知器、放出装置あるいは人為的な操作によって、速やかに運転され送水されなければならない。そのため、送水に対し信頼性の高いポンプ及びシステムが要求されるが、従来はインバータ駆動の消火栓ポンプシステムは使用された例は少ない。しかしながら、インバータの普及に伴い消火ポンプシステムにインバータを採用する動向が見られる。これらの公知例として、特許文献１、特許文献２がある。
【０００３】
又、消火ポンプシステムに使用される消火ポンプは、消火用水として使用されるためには一定以上のレベルを維持する必要があり、そのポンプ性能（モータ性能を含む）が加圧送水装置の基準（消防庁告示第八号、以下基準と略す）で規定されている。これを、図１２により説明する。
【０００４】
図１２において、横軸に吐出し量（ｍ３／ｍｉｎ）、縦軸に全揚程（ｍ）、軸動力（ｋＷ、モータ出力と等価）取って示す。Ａ０はポンプを商用電源ｆ５０，６０（商用電源が５０Ｈｚ、又は６０Ｈｚであることを示す）で運転した場合のポンプＱ−Ｈ性能曲線を、Ｓ０はこの時の軸動力（モータ出力と等価）曲線を示している。そして、消火ポンプは同図に示すように、第１仕様点Ｏ１、第２仕様点Ｏ２、及び第３の仕様点Ｏ３を同時に満足する性能を有するポンプを選定しなければならない（基準による）。
【０００５】
第１仕様点Ｏ１とは、ポンプの吐出し量がＱ１００％、全揚程がＨ１００％、軸動力がＳ１００％であることである。そして、第２仕様点Ｏ２とは、ポンプの吐き出し量がＱ１５０％、全揚程がＨ６５％以上、軸動力がＳ１１０％以下であることを示す。すなわち、吐き出し量がＱ１００％からＱ１５０％に増加した時、全揚程はＨ６５％以上を確保し、軸動力はＳ１１０％以下に押さえることを意味する。
【０００６】
第３仕様点とは、締切全揚程（ポンプの吐き出し量が０の時）がＨ１４０％以下であることである。これは、試運転時などでポンプが締切運転されることがあり、この値が高すぎると送水配管やこれの端末に設置している消火栓やスプリクラー等の器具を損傷させる恐れがあるためである。ここで、６５％、１１０％、１４０％、１５０％は百分率を示す。このように性能に対する規定が厳しいため、消火ポンプは専用のポンプを開発して採用するか、性能を、前記３仕様点を満足するように改造して採用する等が必要であるため、高価なポンプとなってしまい、安価な汎用のポンプを採用するのが困難であった。
【０００７】
特許文献１の消防システム（スプリンクラー）においては、例えば段落(００２５)に、「加圧送水装置４は、モータにより駆動される２台のポンプを具備している。加圧送水装置４は、制御装置５からの圧力制御信号に基づいて、ポンプを駆動するモータの回転数を制御し、もって送水圧力を所定の値とする。また、加圧送水装置４は、制御装置５からの送水量制御信号に基づいて、起動させるポンプの数を変化させ、もって送水量を所定の値とする。この発明は、ポンプを駆動するモータの回転数を制御する方法を限定するものではないが、ポンプを駆動するモータの回転数の制御は、回転数を直接可変するVVVFインバータ（Variable  Voltage  Variable  Frequency  Inverter：可変電圧可変周波数インバータ）などのインバータ制御により行うのが望ましい。」と開示されている。又、段落（００２２）の２０行に、制御装置５から受信した圧力信号．送水量制御信号に基づいて、送水の圧力．量を制御すると記載されている。これは、図示は省略されているが、送水管に圧力センサと流量センサが取り付けてあり、前述の圧力信号．送水量制御信号を目標値として、圧力センサと流量センサの検出したデータが前記目標値となるようにインバータにより周波数制御することを示唆している。
【０００８】
また、特許文献２の消火ポンプ装置において、段落（００４０）に目標圧力の設定は、制御装置４０内に予め複数の値を記憶させておき、スプリンクラーヘッド５０の開放動作した区画の自動警報装置からの信号により必要な目標圧力設定値を選択して圧力制御運転を行うとの開示があり、複数の値（目標圧力ＰＡ，ＰＢ）は記憶されているが、階数と目標圧力を一対一に対応させて記憶していない。そして、どの階数からの信号が来ても、常に目標圧力のＰＡ〜ＰＢの値が選択され、階数と目標圧力とが一対一に対応されて選択されることがない。
【先行技術文献】
【特許文献】
【０００９】
【特許文献１】特開２００５−２５３５３２号公報
【特許文献２】特開２００６−２０８４６号公報
【発明の概要】
【発明が解決しようとする課題】
【００１０】
前述したように、特許文献１及び特許文献２には、消火ポンプをインバータで駆動した時、そのポンプ性能をどのようにして前記基準に適合させるかについての記載がない。すなわち、モータ性能及びインバータ性能をどのように規定し、どのようにこれらの性能を組合せるか、更にどのようにインバータ周波数を制御し、圧力制御するかについても何ら開示されていない。
【００１１】
本発明の目的は、上記従来の問題点にかんがみ、安価な汎用の消火ポンプをインバータ駆動することで、前記基準に適合させたインバータ駆動消火ポンプシステムを提供することにある。
【課題を解決するための手段】
【００１２】
本発明は、上記課題を解決するため、吸込み側からの水を、送水管を介して需要側の各階に設けられた消火栓又スプリンクラーの放水手段に送水する消火ポンプと、
該消火ポンプを駆動する電動機と、
該電動機を駆動するインバータと、
前記消火ポンプ吐き出し側の圧力を検出する圧力検出手段と、
予め最高位置、最遠方の前記放水手段に送水するのに必要な目標圧力を、所要末端圧力、配管抵抗曲線から決定し設定する目標圧力設定手段と、
前記圧力検出手段により検出された圧力が前記目標圧力設定手段により設定された目標圧力となるように前記インバータに周波数指令信号を出力してポンプの周波数を制御する制御装置とを備え、
ポンプ性能の第１仕様点を、インバータ周波数ｆ０のもとで水量Ｑ１００％、全揚程Ｈ１００％、軸動力Ｓ１００％としたとき、インバータ周波数ｆ１のもとで吐出し量Ｑ１５０％、全揚程Ｈ６５％以上、軸動力Ｓ１１０％以下となる第２仕様点を満足するように、前記消火ポンプ、電動機およびインバータを選定して組合せたことを特徴とする。
【００１３】
また、本発明は、上記課題を解決するため、吸込み側からの水を、送水管を介して需要側の各階に設けられた消火栓又スプリンクラーの放水手段に送水する消火ポンプと、
該消火ポンプを駆動する電動機と、
該電動機を駆動するインバータと、
前記消火ポンプ吐き出し側の圧力を検出する圧力検出手段と、
前記放水手段が動作したとき動作信号を発信する動作信号発信手段と、
前記動作信号発信手段の動作信号に基づいて、階数毎に予め求められた配管抵抗曲線から階数毎の目標圧力を設定する目標圧力設定手段と、
前記圧力検出手段により検出された圧力が前記目標圧力設定手段により設定された目標圧力となるように前記インバータに周波数指令信号を出力してポンプの周波数を制御する制御装置とを備え、
ポンプ性能の第１仕様点を、インバータ周波数ｆ０のもとで水量Ｑ１００％、全揚程Ｈ１００％、軸動力Ｓ１００％としたとき、インバータ周波数ｆ１のもとで吐出し量Ｑ１５０％、全揚程Ｈ６５％以上、軸動力Ｓ１１０％以下となる第２仕様点を満足するように、前記消火ポンプ、電動機およびインバータを選定して組合せたことを特徴とする。
【００１４】
また、上記に記載のインバータ駆動消火ポンプシステムにおいて、前記消火ポンプは第１仕様点を満足するように選定され、前記電動機は第２仕様点を満足するように選定され、前記インバータは前記両仕様点を満足するように選定されたことを特徴とする。
【００１５】
また、上記に記載のインバータ駆動消火ポンプシステムにおいて、前記消火ポンプとして、第１仕様点のインバータ周波数ｆ０のもとで水量Ｑ１００％、全揚程Ｈ１００％の定格を満足する汎用ポンプが選定され、前記電動機として、第２仕様点のインバータ周波数ｆ１のもとで吐出し量Ｑ１５０％、全揚程Ｈ６５％以上で運転している際の軸動力が定格出力の１１０％以下となる電動機が選定され、前記インバータとして、周波数ｆ１までの増速できるインバータが選定されたことを特徴とする。
【００１６】
また、上記に記載のインバータ駆動消火ポンプシステムにおいて、インバータ周波数ｆ１のもとで吐出し量Ｑ１５０％、全揚程Ｈ６５％以上で運転している際のインバータ電流が定格電流以下となるインバータを用いたことを特徴とする。
【００１７】
また、上記に記載のインバータ駆動消火ポンプシステムにおいて、インバータ周波数制御による増速時に、インバータ電流が定格電流以下となるようインバータ周波数を制限したことを特徴とする。
【００１８】
また、上記に記載のインバータ駆動消火ポンプシステムにおいて、インバータ周波数制御による増速時に、周波数が前記吐出し量Ｑ１５０％の対応周波数（ｆ１）以下となるよう制御することを特徴とする。
【００１９】
また、上記請に記載のインバータ駆動消火ポンプシステムにおいて、目標圧力設定値の最高値は、前記消火ポンプのＨ１４０％以下に設定されるよう制限され、締切運転時（吐出し量０時）に給水圧力がＨ１４０％以下となるように制御することを特徴とする。
【００２０】
また、上記に記載のインバータ駆動消火ポンプシステムにおいて、インバータ周波数のｆ０を商用周波数近傍とした時、インバータ周波数のｆ１を商用周波数より高い周波数に設定したことを特徴とする。
【００２１】
また、上記に記載のインバータ駆動消火ポンプシステムにおいて、インバータ周波数制御による増速時に、インバータ周波数が第１仕様点対応の周波数（ｆ０）を越えたとき、目標圧力をＨ６５％に切り替えて圧力制御することを特徴とする。
【発明の効果】
【００２２】
本発明によれば、インバータ駆動による周波数制御、圧力制御により、汎用の消火ポンプで性能を前記基準に適合させることができるので、特別な開発、改造が不要となり、消火ポンプシステムのコスト低下が図れる。また、インバータ周波数制御による圧力制御で、ポンプ性能、モータ性能、インバータ性能を決定して総合的な機能を満足させているので、消火ポンプシステムの信頼度の向上が図れる。
【図面の簡単な説明】
【００２３】
【図１】本発明施例のスプリンクラーを用いた消火ポンプシステムのシステム系統図。
【図２】本発明実施例の消火栓を用いた消火ポンプシステムのシステム系統図。
【図３】本発明実施例のインバータ駆動により基準を適合したポンプ性能曲線図。
【図４】本発明実施例の階毎吐出し圧力一定制御を適用したポンプ性能曲線図。
【図５】本発明実施例の末端圧力一定制御を適用したポンプ性能曲線図。
【図６】本発明実施例の制御盤の回路構成図。
【図７】吐出し圧力一定制御を説明するためのポンプ性能曲線図。
【図８】吐出し圧力一定制御のアルゴリズムを示すフローチャート。
【図９】末端圧力一定制御のアルゴリズムを示すフローチャート。
【図１０】本発明実施例の制御動作を説明するためのフローチャート。
【図１１】消火栓の詳細構成図。
【図１２】消火ポンプ性能基準を示す説明図。
【発明を実施するための形態】
【００２４】
以下、本発明の実施形態について図１〜図１１により説明する。図１は、実施例のインバータ駆動の消火ポンプシステムを、建物のスプリンクラー消火設備に適用したシステム系統図を示したものであり、１０階建てを例としている。
【００２５】
１は水源であり、例えば消火水槽等である。４は先端にフート弁２を取り付けた吸い込み管３を吸い込み側に設け、送水管１０へ送水するスプリンクラー消火ポンプ（以下、消火ポンプ）、５は消火ポンプ４を駆動する電動機（モータ）である。消火ポンプ４には、吐き出し側に内部に空気溜まるを有する圧力タンク１４、逆止め弁６、仕切り弁７が取り付けられている。９はポンプ近傍に位置し、送水管１０に取り付けられた圧力検出手段（圧力センサ）であり、検出された圧力に応じた電気信号Ｓ１１を発信する。発信された電気信号Ｓ１１は、後で述べる制御盤８で受信される。
【００２６】
また、送水配管１０には、階毎に送水管枝管１０−１〜１０−３にスプリンクラー（放水手段）１０−１a〜e〜１０−３a〜eをそれぞれ備えて、スプリンクラー群（放水手段群）を構成している。１０−１ｓ〜１０−３ｓは、それぞれ前記スプリンクラーが開放した時に放水した信号（動作信号）を発する放水装置（動作信号発信手段）であり、前記階毎のスプリンクラーと一対一に対応し、階高さが特定出来る部位に取り付けられている。便宜上、放出装置の放出信号（動作信号）も１０−１ｓ〜１０−３ｓを用いる。これらの信号群はＳ１３として制御盤８に送信される。
【００２７】
制御盤８は後で詳細に説明するが、インバータ、制御装置等を内蔵しており、動力ケーブルＳ１０により電動機５に電力（可変周波数、可変電圧）を供給する。各階の放出装置から発信されるこれらの信号（動作信号）１０−１ｓ〜１０−３ｓは、どの階なのかを示す位置情報であり、これによってその階が特定され、階毎に必要な給水圧力（目標圧力）、又は、これに対応する初期インバータ周波数、又は、階毎に必要な給水圧力（目標圧力）と共にこれに対応する初期インバータ周波数が決定され設定される。
【００２８】
図２は本実施例のインバータ駆動の消火ポンプシステムを、建物の消火栓消火設備に適用したシステム系統図を示したものであり１０階建てを例にしている。図１に示す圧力タンク１４を省略し、スプリンクラー、放出装置、放出信号に代えて、消火栓（放水手段）１０−１ａ〜１０−３ａ、及びこれの始動指令信号（動作信号）としたものである。尚、この消火栓は、図１１に示すように送水管１０の枝管１０−１〜１０−３により引き込み、始動押釦スイッチ（動作信号発信手段）２２、ベル２３、始動表示ランプ２４、ホース２５、ノズル２６を備えている。そして、消火栓の始動押釦スイッチ２２が操作されると、始動指令を発信したことを示す始動指令信号１０−１ｓ〜１０−３ｓを発信する。
【００２９】
図１、図２では、各階の消火栓から発信される始動指令信号、又は、スプリンクラー（放出装置）から発信される信号（動作信号）によってその階高さを特定し、階毎に必要な給水圧力（目標圧力）、又は、これに対応する初期インバータ周波数、又は、階毎に必要な給水圧力（目標圧力）とこれに対応する初期インバータ周波数を決定する例で示している。また、これらの階高さを特定信号を用いる代わりに、予め最高位で最遠方の消火栓又はスプリンクラー（放水手段）に対して、実揚程、所要末端圧力、配管抵抗損失を加味して最悪条件での全揚程（目標圧力と同じ）、及びこれに対応したインバータ初期周波数を決めて設定しても良い。最悪条件とはこの全揚程、インバータ初期周波数を用いて送水すれば、どこで使用されても送水が可能という意味である。
【００３０】
図３は、インバータ駆動消火ポンプシステムの消火ポンプ性能、モータ性能、インバータ性能の相互の関係を示したポンプ性能曲線図を示し、横軸に吐出し量（ｍ３／ｍｉｎ）、縦軸に全揚程（ｍ）、軸動力（ｋＷ、モータ出力と等価）を取って示す。曲線Ａ０はインバータ周波数ｆ０で運転した時のポンプＱ−Ｈ性能曲線であり、曲線Ｓ０はこの時のポンプ軸動力曲線（モータ出力と等価）である。そして、第１の仕様点Ｏ１において、吐出し量Ｑ１００％、全揚程Ｈ１００％、軸動力Ｓ１００％を満足している。
【００３１】
次に第２の仕様点Ｏ２を考える。即ち、吐出し量Ｑ１５０％（第１の仕様点Ｏ１の吐出し量Ｑ１００％を１５０％に増加させた点）と、全揚程Ｈ６５％（第１の仕様点Ｏ１の全揚程Ｈ１００％を６５％に減じた点）の点が第２の仕様点Ｏ２である。この第２の仕様点Ｏ２と交わるようインバータ周波数ｆ１（ｆ０より高い周波数）を決定し、このインバータ周波数ｆ１で運転した時のポンプＱ−Ｈ性能が曲線Ａ１である。当然、このポンプＱ−Ｈ性能が、曲線Ａ１の曲線と前記第２の仕様点Ｏ２が交わるのは明らかである。
【００３２】
曲線Ｓ１は、前記インバータ周波数ｆ１で運転した時のポンプ軸動力曲線（モータ出力と等価）である。この曲線Ｓ１と吐出し量Ｑ１５０％の点を上方に伸ばした直線との交点Ｏ４が、ポンプ軸動力Ｓ１１０％となる点である。
【００３３】
以上説明した図３に基いて、消火ポンプ、インバータ、電動機の選定について説明する。先ず、消火ポンプ４は前記第１仕様点Ｏ１の吐出し量Ｑ１００％、全揚程Ｈ１００％の定格を満足する汎用ポンプを選定し、第２の仕様点Ｏ２はインバータ周波数ｆ１までの増速で対応する。インバータＩＮＶは周波数ｆ１までの増速できるインバータを選定する。前記第１仕様点Ｏ１を満足するポンプは、ポンプ容量として第２の仕様点Ｏ２を満足することができる。
【００３４】
後述するが、第３の仕様点Ｏ３は、目標圧力設定値の最高値を第３の仕様点（Ｈ１４０％）以下に設定されるよう設定値を制限し、締切運転時（吐出し量０時）の給水圧力を圧力制御で対応する。
【００３５】
そして、電動機５は、第２の仕様点Ｏ２において（Ｏ４点に示す）、すなわち、インバータ周波数ｆ１のもとで吐出し量Ｑ１５０％、全揚程Ｈ６５％以上で運転している際の軸動力（その出力）が定格出力の１１０％以下となるものを選定し、さらにこのＯ４点において、インバータＩＮＶはその電流が、定各電流以下となるように選定される。インバータＩＮＶのトリップを防止して、運転の継続を優先することができる。
【００３６】
このようにすれば、消火ポンプは前記第１仕様点Ｏ１を満足する適切な容量の安価な汎用ポンプと、第２仕様点を満足する適切な容量の安価な電動機と、適切な容量のインバータを使用することができ、システムを小型で安価に構成でき、従来技術で述べた問題を解消することができる。
【００３７】
図４は、図１、図２に示す系統にインバータによる階毎の吐き出し圧力一定制御を適用した場合のシステムのポンプ性能曲線図であり、横軸に給水量、縦軸に給水圧力（ヘッド）、軸動力（モータ出力と等価）を示している。
【００３８】
Ｈ０１０Ｆは、１０階の消火栓又はスプリンクラー放水装置に所定水量Ｑ０（図３のＱ１００％と同意）を送水するのに必要な給水圧力（ヘッド）であり、目標圧力（図３のＨ１００％と同意）である。Ｒ１０は、同様に１０階の消火栓又はスプリンクラー放水装置に所定水量Ｑ０（図３のＨ１００％と同じ）を送水する際に生じる配管抵抗を示した配管抵抗曲線であり、前記した目標圧力Ｈ０１０Ｆには、所定水量Ｑ０のもとで配管抵抗Ｈｆ、実揚程Ｈａ、末端圧力Ｈｐを含んでいる。
【００３９】
所定水量Ｑ０、目標圧力Ｈ０１０Ｆが第１の仕様点Ｏ１であり、インバータ周波数ｆ１０のもとでポンプＱ−Ｈ性能曲線Ａが得られ、これがこの仕様点を満足している。即ち、第１の仕様点Ｏ１を満足するようにインバータ周波数ｆ１０を決定する。これらの諸量Ｈｆ、Ｈａ、Ｈｐ、ＨＴ（全揚程、１０階を例にすると目標圧力Ｈ０１０Ｆと同じ）を表示すると図４の左端のとおりとなる。
【００４０】
ここで、１０階を例に全揚程ＨＴの求め方を示すと次の（１）式のとおりとなる。  
ＨＴ＝Ｈａ＋Ｈｆ＋Ｈｐ            （１）
ここで、Ｈａは実揚程ｍ（水源の水面から１０階の消火栓又はスプリンクラー放水装置までの実高さ）、Ｈｆは配管抵抗損失（ｍ）（所定水量Ｑ０を水源の水面から１０階の消火栓又はスプリンクラー放水装置まで送水する際の配管抵抗損失）、Ｈｐは所要末端圧力（ｍ）（消火栓又はスプリンクラー放水装置で必要な圧力ヘッド）である。
【００４１】
次に、吐出し量Ｑ１５０％、全揚程Ｈ６５％の第２の仕様点Ｏ２を考える。この仕様点Ｏ２は、吐出し量Ｑ１５０％と全揚程Ｈ６５％の交点が、ｆ１０よりも高いインバータ周波数ｆ１１で運転した時に得られるポンプＱ−Ｈ性能Ａ１１との交点となるようにする。これは、ポンプ性能Ａ１１が前記第１の仕様点Ｏ２と交わるようインバータ周波数ｆ１１を決定することを意味する。又、Ｓ１はインバータ周波数ｆ１１で運転した時の軸動力曲線であり、これと前記吐出し量Ｑ１５０％の点を上方に伸ばした直線との交点Ｏ４が、軸動力Ｓ１１０％の点である。
【００４２】
同様にＨ０９Ｆ、Ｈ０８Ｆはそれぞれ９階、８階の消火栓又はスプリンクラー放水装置に、所定水量Ｑ０（図３のＱ１００％と同じ）を送水するのに必要な給水圧力（ヘッド）であり、目標値である。同様にＲ９、Ｒ８は、それぞれ９階、８階の消火栓又はスプリンクラー放水装置に送水する際に生ずる配管抵抗である。曲線Ｂ、Ｃは、それぞれ９、８階の消火栓又はスプリンクラー放水装置へ給水するのに必要な目標圧力Ｈ０９Ｆ、Ｈ０８Ｆを満足するための消火ポンプＱ−Ｈ性能曲線であり、インバータ周波数ｆ９、ｆ８で運転した時に得られる性能である。これらの目標圧力（全揚程）の求め方、及び表示は前述と同じなので説明を省く。又、７階以下の階毎の必要な給水圧力（ヘッド）又はこれに対応するインバータ周波数は前述の説明で明らかなので図示を省いている。
【００４３】
以上のようにして求めた階毎の目標圧力は、後述の制御装置ＣＵの演算処理装置ＣＰＵの処理時に一時的に記憶するか、又は記憶部Ｍに記憶して用いる。即ち、階毎の始動指令信号に基づいてこれらの目標圧力を決定し、圧力検出手段９の検出した送水圧力がこの目標圧力となるようにインバータの周波数を制御してポンプ駆動することにより、火災が起きた際に、確実で階毎に正確な給水を行うことを可能とする。さらに、前述のように目標圧力の最高値が、ポンプの第３の仕様点の圧力ヘッドよりも高く設定されることがないように圧力制御されるので、第３の仕様点も満足することができる。
【００４４】
階毎の吐出し圧力一定制御を行った場合の、ポンプ性能、各階始動指令信号、及び抵抗曲線のそれぞれの対応関係は次の通りである。即ち、９階で始動指令信号が発生した時の目標圧力はＨ０９Ｆ、インバータ初期周波数はｆ９であり、目標圧力はＨ０９Ｆは９階用に予め求められた配管抵抗曲線Ｒ９から設定される。８階で始動指令信号が発生した時の目標圧力はＨ０８Ｆ、インバータ初期周波数はｆ８であり、目標圧力はＨ０８Ｆは８階用に予め求められた配管抵抗曲線Ｒ８から設定される。７階以下については記載を省略しているが、階毎に目標圧力、インバータ初期周波数が設定され、これに基づいて初期周波数で始動しその階毎に設定された目標圧力により吐出し圧力一定制御を実行する。  
始動指令信号        目標圧力      インバータ周波数  ポンプ性能    抵抗曲線
１０−３Ｓ（１０Ｆ）Ｈ０１０Ｆ      ｆ１０            Ａ            Ｒ１０  
１０−２Ｓ（９Ｆ）  Ｈ０９Ｆ        ｆ９              Ｂ            Ｒ９  
１０−１Ｓ（８Ｆ）  Ｈ０８Ｆ        ｆ８              Ｃ            Ｒ８  
このように信号発信手段の動作信号に基づいて、階数毎に予め求められた配管抵抗曲線から階数毎の目標圧力を目標圧力設定手段により設定する。目標圧力設定手段は、後述の制御装置ＣＵの演算処理装置ＣＰＵおよび記憶部Ｍにより構成される。
【００４５】
図５は、図１、図２に示す系統にインバータによる末端圧力一定制御を適用した場合のシステムのポンプ性能曲線図であり、横軸に給水量、縦軸に給水圧力（ヘッド）、軸動力（モータ出力と等価）を示している。ここで末端圧力一定制御とは、予め最高位で最遠方の消火栓又はスプリンクラー（放出装置）に対して、実揚程、所要末端圧力、配管抵抗損失を加味して、最悪条件での全揚程（目標圧力と同じ）とインバータ初期周波数（図５参照）を求めて設定し、圧力検出手段の検出した送水圧力が前記設定した目標圧力となるようにインバータ周波数を制御することである。
【００４６】
図５において、図４と同じ記号で示しているものは同じものであり、ポンプの第１、第２仕様点の決め方、モータ出力及びインバータ定格電流の決め方、これらの選定の仕方は同じであるから説明を省く。Ｒ１１は前述の最高位で最遠方、即ち１０階の消火栓又はスプリンクラー（放出装置）へ送水する際の配管抵抗曲線である。ここに送水するのに必要な目標圧力（全揚程）の決め方は前述と同じＨ０１０Ｆであり、下限側の目標圧力はＨ０１０ＦＬである。又、下限側の目標圧力はＨ０１０ＦＬに対応するインバータ初期周波数はｆ１２（図５参照）である。
【００４７】
具体的には、送水配管端末の消火栓又はスプリンクラー（放出装置）からの始動指令により、初期インバータ周波数ｆ１２が出力されて運転を開始し、送水量Ｑ０（Ｑ１００％と同意）に向けて次第に増速して、送水圧力がＨ０１０ＦＬから抵抗曲線Ｒ１１上を移動して上限目標圧力Ｈ０１０Ｆに到達し、この状態で運転される。どこの階で始動指令信号が発生してもこれは変わることがない。
【００４８】
更に、図３、図４、図５において、インバータ周波数のｆ０、ｆ１０を商用周波数の５０Ｈｚ又は６０Ｈｚ近傍とした時、インバータ周波数のｆ１、ｆ１１を商用周波数の５０Ｈｚ又は６０Ｈｚより高い周波数に設定することも出来る。このようにすると、インバータ駆動時の消火ポンプ性能を容易に基準に適合させることが出来、消火ポンプに汎用ポンプを使用し易くなる。
【００４９】
図１０は、後述の制御装置ＣＵによるメイン処理及び圧力制御の処理（処理アルゴリズム）を示すフローチャートである。図示していないが、イニシャル処理や割込処理により、階毎の吐出し圧力一定制御の目標圧力とインバータ初期周波数、又は末端圧一定制御の目標圧力とインバータ初期周波数を決定し設定する。又、後述の制御装置ＣＵに記憶部Ｍを備えているものは、予め、前記階毎の目標圧力とインバータ初期周波数と、末端圧一定制御の目標圧力とインバータ初期周波数を記憶部に記憶しておき、前述した要領で消火栓からの始動指令信号、又は放出装置の放出信号が発生した時、これに基づいて記憶部から選択し読み出してもよい。このとき、制御装置ＣＵの記憶部Ｍは目標圧力設定手段となる。
【００５０】
先ず、階毎吐出し圧力一定制御について説明する。図１０において、発明の意図に無関係な途中は省略しているが、説明の便宜上始動指令は１０階で発生しているものとして説明を進める。最初は停止しているので、６１１、６１３Ａと処理して６００ステップへと処理が進む。６００〜６０７ステップは、階毎の目標圧力とインバータ初期周波数を決定し設定する。または、前述したように前記記憶部Ｍよりインバータ初期周波数を読み出す処理を実行しても良い。最上階から最下階まで順番に始動指令があるかチエックし、始動指令のある階に対して目標圧力を決定し設定する。又は記憶部より目標圧力を読み出しても良い。
【００５１】
例えば、６００ステップにおいて、最上階、実施例では１０階の消火栓の始動押釦スイッチが操作され始動指令信号（動作信号）又はスプリンクラー放出信号（動作信号）が発信されていないか判定する。発信されていれば６０１ステップへ進み、目標圧力をＨ０１０Ｆと決定し設定する。又は記憶部ＭよりＨ０１０Ｆを選択し読み出す。発信されていなければ次の階の処理ステップ以降に進み、順次最下位階の目標圧力の設定又は読出し処理を実行する。他の階の目標圧力の設定又は読出し処理は前述で明らかなので説明を省く。目標圧力が設定されると６０８ステップの処理へと進む。
【００５２】
尚、６００〜６０７ステップの処理で、各階の消火栓又は放出装置からの始動指令信号がないと判断した場合は、６１１ステップへ戻りこれより実行を続ける。次に、６０８ステップではポンプが運転中か判定する。運転中であれば６１０ステップへ進み、停止中であれば６０９ステップで運転処理を実行して６１０ステップへ進む。６１０ステップでは、図８又は図９に示す圧力制御処理を実行する。先ずは吐き出し圧力一定制御の処理について説明する。
【００５３】
今、説明の便宜上、前述の６００〜６０７ステップにおいて、目標圧力Ｈ０＝Ｈ０１０Ｆ（１０階の目標圧力）が設定又は読み出されているものとする。この設定又は読み出された目標圧力は、例えば後述の演算処理装置ＣＰＵのレジスタに一時記憶されている。ここで、演算処理装置ＣＰＵは目標圧力設定手段となる。
【００５４】
図８において、５００ステップで、圧力検出手段９によって給水圧の圧力データＨが検出される。そして５０１ステップにおいて、目標圧力Ｈ０(Ｈ０１０Ｆ)と検出した圧力データＨとが比較される。比較の結果、Ｈ０−α＞Ｈであれば、５０２ステップでインバータ周波数がｆ０＋Δｆ（Δｆは図７に示す周波数が上下に振れることを考慮したもの）の周波数以下となっていないか判定し、ＮＯと判定した場合は５０３ステップへ進み、ＹＥＳと判定した場合は５０５ステップへ進む。５０５ステップではインバータ増速制御処理を実行してから５００ステップへ戻る。
【００５５】
５０３ステップでは、周波数がｆ１以上か判定する。周波数がｆ１周波数未満であれば５０４ステップへ進み、ｆ１周波数以上であれば６１４ステップの処理へ進む。５０４ステップでは目標圧力を６５％設定して増速処理の５０５ステップへ進む。尚、Δｆは図７に示すように、例えば、ｆ１０を中心に、上（ｆ１０´´）と下（ｆ１０´）に振れることを考慮した周波数で、数Ｈｚ以内である。
【００５６】
５０１ステップの判定がＨ０−α＜＝Ｈ＜＝Ｈ０＋αであれば、図８では詳細処理を省略しているが次の６１４ステップの処理に進む。
【００５７】
このように処理すれば、図４においてインバータ周波数がｆ０より低い範囲は、階毎の目標圧力による吐出し圧力一定制御を、インバータ周波数がｆ０＋Δｆを越えた範囲では階毎の目標圧力をＨ６５％に下げて、この値による吐出し圧力一定制御を実行することができ、全域を階毎の目標圧力で運転するときよりモータ出力、インバータ電流を下げることが出来る。これによってモータ及びインバータの容量を小さく出来るケースが生ずる。
【００５８】
上記処理では、５０５ステップで増速処理を行った後５００ステップに戻り、５０２ステップでインバータ周波数がｆ０＋Δｆを超えている場合は、目標圧力を前記にＨ６５％に切り替えて再度５０５ステップで増殖処理を行っている。インバータ周波数がｆ０＋Δｆを超えているとは、第１仕様点対応の周波数（ｆ０）を越えたときなので、インバータ周波数制御時の増速時に、インバータ周波数が第１仕様点対応の周波数（ｆ０）を越えたとき、目標圧力を前記にＨ６５％に切り替えて圧力制御していることになる。従って、第１仕様点と第２仕様点の範囲内の制御が容易に確実になされる。
【００５９】
そして、５０１ステップの判定がＨ０＋α＜Ｈであれば５０６ステップに進み、インバータ減速制御処理が実行されてから５００ステップに戻る。これが繰り返されることにより、給水圧力が目標圧力Ｈ０(＝Ｈ０１０Ｆ)とほぼ等しくなる。尚、αは目標圧力の不感滞を示し大体１〜２ｍであり、５０５、５０６ステップのａＨｚは、インバータの変速制御幅を示し適宜０．１〜１Ｈｚで設定する。この制御の結果、図７においてインバータ周波数が上下に振れ（ｆ１０´〜ｆ１０´´）、設計値のｆ１０に近づく。実際には配管抵抗が設計値と異なる等して、周波数ｆ１０や流量Ｑ０等の所定数量が設計値と一致することはないが、吐き出し圧力を目標値に制御することを優先しており、十分実用可能なレベルを達成できる。
【００６０】
次に末端圧力一定制御について説明する。図１０の６１０ステップでは、図９に示す末端圧力一定制御の処理を実行する。図９において、図８と同じステップ記号で表示している処理は図８と同じ処理につき説明を省く。８００、８０１ステップの処理は、５０１ステップで目標圧力が一致した後、目標圧力を更新する処理である。目標圧力の更新は８００ステップの判定でインバータ周波数がｆ０＋Δｆ以下の時に実行される。そして、目標値は図５に示す配管抵抗曲線Ｒ１１であり、関数又はテーブルで表示され、現在のインバータ周波数に基づいて求められる。即ち、図９の処理を実行すると末端圧一定制御が得られる。８００ステップの判定でインバータ周波数がｆ０＋Δｆを越えると、目標圧力をＨ６５％に下げて吐出し圧力一定制御となる。
【００６１】
さて、階毎の吐出し圧力一定制御（図８）を例に送水量Ｑ０（吐出し量Ｑ１００％と同意）がＱ１５０％に増大した場合を想定して説明する。図１、図２では、スプリンクラーや消火栓の作動箇所が１箇所で送水量をＱ０として図示しているが、これが数か所あり複数同時に作動し、送水量がＱ１５０％に増大しものと考えればよい。送水量がＱ０より増大すると、送水圧力が目標圧力であるＨ０１０Ｆ（１０階の目標圧力）より低下する。そして、圧力検出手段９の検出した送水圧力が目標圧力Ｈ０１０Ｆとなるように、前述の図８に示す５００、５０１、５０２、５０３、５０４、５０５の処理を繰り返し実行する。
【００６２】
その結果として、送水量が増大してＱ１５０％となっても、インバータ周波数はｆ１未満に制限され、送水圧力は目標圧力のＨ０１０Ｆの６５％以上に保たれる。又、インバータ周波数をｆ１未満に制限する代わりにインバータ電流を定格電流未満に制限する方法を用いてもよい。具体的には５０３ステップの処理をインバータ電流を検出して定格電流と比較する処理に変えて、インバータ電流が定格電流未満であれば増速処理、定格電流以上となったら増速せず６１４ステップへ戻るように処理すればよい。これは、説明を省くが末端圧力一定制御（図９）でも同じである。
【００６３】
更に、図１０の６００〜６０７ステップにおいて、階毎の目標圧力を設定する際に、設定値が最高値のＨ０１０Ｆ（最上階の設定値であり本実施例では最高値となる）を超えていないかチエックする処理を実行し、前述の吐き出し圧力一定制御を実行すれば、ポンプ性能で規定されている第３の仕様点（Ｈ１４０％）超えることがない。
【００６４】
消火栓又は放水装置への送水を考えると、送水圧力が目標圧力に急峻に到達することが望ましい。この場合、図１０の６０１、６０３、６０５ステップにおいて目標圧力を設定又は読み出す際に、インバータ初期周波数も設定又は読み出しを行い、６０９ステップのポンプ初期運転処理時に、設定又は読み出しによりインバータ初期周波数を出力する。具体的には、後述する制御装置ＣＵの入出力インターフェースＩ／Ｏ３よりインバータ端子１０、１１へ信号ＡＮ０、ＣＭ１を出力する。このようにすれば、設定又は読み出されたインバータ初期周波数によって、インバータを加速駆動することにより急峻に目標圧力に到達することが可能となる。インバータが過電流トリップしない範囲で、インバータの加速時間を可能な限り短く設定すればより顕著となる。
【００６５】
図６は、図1、図２で説明した制御盤８の回路図である。同図において、ＰＷ（Ｒ、Ｓ、Ｔ）は電源、Ｒ（又はＲ１）、Ｓは制御電源、ＭＢＤ、ＭＢＶは配線用遮断器、ＩＮＶは周波数設定手段及び操作表示部ＣＯＮＳを有するインバータ、ＣＵは演算処理装置ＣＰＵ、記憶部Ｍ、入出力インターフェースＩ／Ｏ２、３等を備える制御装置である。演算処理装置ＣＰＵ、記憶部Ｍは目標圧力設定手段として機能する。
【００６６】
ＴＲはトランス、Ｉ／Ｏ１は階毎の消火栓の始動スイッチ、又は放水装置（１０−１Ｓ〜１０−３Ｓ）からの始動指令信号１０−１Ｓ〜１０−３Ｓ（階高さ．．．．８Ｆ〜１０Ｆに対応）を取り込む入力回路部、Ｘは取り込んだ始動指令信号１０−１Ｓ〜１０−３ＳがＯＮ時にＯＮするリレー群（．．．８ＦＸ〜１０ＦＸ）である。
【００６７】
５２Ｄ、５２Ｖは電磁継電器、４９Ｐはサーマルリレー、ＩＭは電動機、４３Ｓはポンプや電動機を商用運転とインバータ運転の運転モードに切り替るスイッチ、ＢＳ１は始動押釦スイッチ、ＢＳ２は停止押釦スイッチ、Ｉ／Ｏ２，３は入出力インターフェース部であり圧力検出手段の信号１０、リレー群Ｘの信号（始動指令信号１０−１Ｓ〜１０−３Ｓに対応するリレー．．．８ＦＸ〜１０ＦＸの信号を入力）をここより取り込む。
【００６８】
今、図６において、便宜上各層ゾーンの配線用遮断器ＭＢＤ、ＭＢＶが投入され、スイッチ４３ＳはＩＮＶを選択しているものとする。１０階で火災が発生した場合を想定し、消火栓始動スイッチ又は放出装置からの始動指令信号１０−３Ｓが発生した場合を考える。
【００６９】
制御盤８の入力回路部Ｉ／Ｏ１にこの始動指令信号を取り込み、これに対応するリレー１０ＦＸがＯＮする。制御装置ＣＵは入出力インターフェースＩ／Ｏ２より前記リレー１０ＦＸの信号（接点）を取り込み、演算処理装置ＣＰＵはこの信号に基き、目標圧力をＨ０１０Ｆに合わせて、インバータ初期周波数をｆ１０に決定し設定する。又は、記憶部Ｍより予め記憶している目標圧力及びインバータ周波数の中から、Ｈ０１０Ｆおよびｆ１０を選択し読み出す。これらは演算処理装置ＣＰＵのレジスタに記憶される。
【００７０】
続いて、前記演算処理装置ＣＰＵは、リレー１０ＦＸの信号（接点）を取り込んだことに伴い、入出力インターフェースＩ／Ｏ３より、リレーＸをＯＮする信号、及び周波数指令信号ＡＮ０、ＣＭ１を出力する。リレーＸの接点は、電磁継電器５２Ｖの入力側に結線されており、この接点ＸがＯＮしたことに伴い、前記電磁継電器５２ＶがＯＮし、その接点５２Ｖａが、インバータ端子ＦＷ、ＣＭ０をＯＮし、周波数指令信号ＡＮ０、ＣＭ１はインバータ端子１０、１１に入力されて運転を開始する。
【００７１】
そして、圧力検出手段９の検出した送水圧力は、信号Ｓ１（ＡＮ２、ＣＭ３）として前記入出力インターフェースＩ／Ｏ３より取り込まれ記憶部Ｍに保存される。
【００７２】
上記構成による制御盤８内において、前記制御装置ＣＵによって、前述の図８〜図１０の制御動作を説明するフローチャートに沿った、インバータ周波数制御による消火ポンプシステムの圧力制御が実行される。
【００７３】
本実施例をまとめると、吸込み側からの水を、送水管１０を介して需要側の各階に設けられた消火栓又スプリンクラーの放水手段１０−１ａ〜１０−３ｅに送水する消火ポンプ４と、該消火ポンプを駆動する電動機５と、該電動機を駆動するインバータＩＮＶと、
前記消火ポンプ吐き出し側の圧力を検出する圧力検出手段９と、予め最高位置、最遠方の前記放水手段に送水するのに必要な目標圧力を、所要末端圧力、配管抵抗曲線から決定し設定する目標圧力設定手段ＣＰＵ、Ｍと、前記圧力検出手段９により検出された圧力が前記目標圧力設定手段ＣＰＵ、Ｍにより設定された目標圧力となるように前記インバータＩＮＶに周波数指令信号を出力してポンプの周波数を制御する制御装置ＣＵとを備え、ポンプ性能の第１仕様点Ｏ１を、インバータ周波数ｆ０のもとで水量Ｑ１００％、全揚程Ｈ１００％、軸動力Ｓ１００％としたとき、インバータ周波数ｆ１のもとで吐出し量Ｑ１５０％、全揚程Ｈ６５％以上、軸動力Ｓ１１０％以下となる第２仕様点Ｏ２を満足するように、前記消火ポンプ４、電動機５およびインバータＩＮＶを選定して組合せたことを特徴とする。
【００７４】
また、前記目標圧力設定手段は、前記放水手段が動作したとき発信する動作信号１０−１ｓ〜１０−３ｓに基づいて、階数毎に予め求められた配管抵抗曲線から階数毎の目標圧力を設定する目標圧力設定手段でも良い。
【００７５】
また、前記消火ポンプ４は第１仕様点Ｏ１を満足するように選定され、前記電動機５は第２仕様点Ｏ２を満足するように選定され、前記インバータは前記両仕様点を満足するように選定されたことを特徴とする。
【００７６】
また、前記消火ポンプ４として、第１仕様点Ｏ１のインバータ周波数ｆ０のもとで水量Ｑ１００％、全揚程Ｈ１００％の定格を満足する汎用ポンプが選定され、前記電動機５として、第２仕様点Ｏ２のインバータ周波数ｆ１のもとで吐出し量Ｑ１５０％、全揚程Ｈ６５％以上で運転している際の軸動力が定格出力の１１０％以下となる電動機が選定され、前記インバータＩＮＶとして、周波数ｆ１までの増速できるインバータが選定されたことを特徴とする。
【００７７】
また、インバータ周波数ｆ１のもとで吐出し量Ｑ１５０％、全揚程Ｈ６５％以上で運転している際のインバータ電流が定格電流以下となるインバータを用いたことを特徴とする。
【００７８】
また、インバータ周波数制御による増速時に、インバータ電流が定格電流以下となるようインバータ周波数を制限したことを特徴とする。
【００７９】
また、インバータ周波数制御による増速時に、周波数が前記吐出し量Ｑ１５０％の対応周波数（ｆ１）以下となるよう制御することを特徴とする。
【００８０】
また、目標圧力設定値の最高値は、前記消火ポンプのＨ１４０％以下に設定されるよう制限され、締切運転時（吐出し量０時）に給水圧力がＨ１４０％以下となるように制御することを特徴とする。
【００８１】
また、インバータ周波数のｆ０を商用周波数（５０Ｈｚ），６０Ｈｚ）近傍とした時、インバータ周波数のｆ１を商用周波数より高い周波数に設定したことを特徴とする。
【００８２】
また、インバータ周波数制御による増速時に、インバータ周波数が第１仕様点対応の周波数（ｆ０）を越えたとき、目標圧力をＨ６５％に切り替えて圧力制御することを特徴とする。
【符号の説明】
【００８３】
１…水源、２…フート弁、３…吸い込み管、４…消火ポンプ、５…電動機、６…逆止弁、７…仕切り弁、１０…送水管、１０−１〜１０−３…送水管枝管、８…制御盤、９…圧力検出手段、１０−１ａ〜ｅ〜１０−３ａ〜ｅ…放水手段（消火栓、スプリンクラー）、１０−１Ｓ〜１０−３Ｓ…動作信号、始動指令信号、動作信号発信手段、Ｓ１０、Ｓ１１、Ｓ１３…制御盤授受信号、ＣＵ…制御装置、ＣＰＵ、Ｍ…目標圧力設定手段、ＩＮＶ…インバータ、Ｏ１…第１仕様点、Ｏ２…第２仕様点。
【図１】
2014121371.tif 000003
【図２】
2014121371.tif 000004
【図３】
2014121371.tif 000005
【図４】
2014121371.tif 000006
【図５】
2014121371.tif 000007
【図６】
2014121371.tif 000008
【図７】
2014121371.tif 000009
【図８】
2014121371.tif 000010
【図９】
2014121371.tif 000011
【図１０】
2014121371.tif 000012
【図１１】
2014121371.tif 000013
【図１２】
2014121371.tif 000014